(57)【要約】【課題】濡れ落ち葉をうまく掃くため、濡れ落ち葉の表面を滑りにくい穂を有する箒を提供する。【解決手段】平均粒子径が１μm〜350μmの微小粉体111が混入された樹脂コード（ナイロンコード、ポリエステルコード、ポリエチレンコード、ポリプロピレンコード等）を穂11としたことを特徴とする箒１である。樹脂コードに混入される微小粉体111は、有機粉体又は無機粉体のいずれも利用可能であるが、無機粉体（例えば炭化ケイ素粉体）の利用が好ましい。【選択図】図１
2020121007.tif 000002
【特許請求の範囲】
【請求項１】
微小粉体が混入された樹脂コードを穂としたことを特徴とする箒。
【請求項２】
微小粉体は、無機粉体である請求項１記載の箒。
【発明の詳細な説明】
【技術分野】
【０００１】
本発明は、濡れ落ち葉のように、掃きにくいゴミを掃きやすくする箒に関する。
【背景技術】
【０００２】
屋内又は屋外を問わず、ゴミを掃き集める簡易な清掃具として、箒が利用される。屋外で利用される箒は、落ち葉を掃き集めるために利用されることが多い。ここで、落ち葉が乾いていればよいが、雨や夜露に濡れた落ち葉（濡れ落ち葉）は、道路や地面にくっついて箒で掃きにくくなる。このことから、濡れ落ち葉のように、掃きにくいゴミを掃きやすくする箒の改良（具体的には穂の改良）が、種々提案されている（例えば特許文献１及び特許文献２）。
【０００３】
特許文献１は、穂（毛）が略正三角形又は略正四角形の断面である線条体で、螺旋状に捻られ、更に多数の凹凸部を設けた箒を開示する（特許文献１・［請求項１］［請求項３］）。穂は、合成樹脂（特にポリプロピレン）である（特許文献１・［0018］）。特許文献１が開示する箒は、凹凸部が掻き寄せる爪の役目を果たしてゴミのはき集めを容易にする（特許文献１・［0016］）。特許文献１は濡れ落ち葉に言及していないが、凹凸部の効用から、濡れ落ち葉を掃きやすくする、と思われる。
【０００４】
特許文献２は、合成樹脂製の穂（プラスチック製ブリッスル）を固定具の挿通孔（本文中は挿通口）に分配して挿通させた箒を開示する（特許文献２・［実用新案登録請求の範囲］）。特許文献２が開示する箒は、合成樹脂製の穂が強靭で弾力性を備えることから、傷みにくく、湾曲癖がつきにくい穂とすることができ、濡れ落ち葉も容易に掃くことができる、としている（特許文献２・［0011］）。
【先行技術文献】
【特許文献】
【０００５】
【特許文献１】特開2013-223617公報
【特許文献２】実開平06-052757号公報
【発明の概要】
【発明が解決しようとする課題】
【０００６】
特許文献２が開示する箒は、合成樹脂製の穂がと弾力性を備えるので、濡れ落ち葉が履きやすいとしている。しかし、濡れ落ち葉は、単に重くて掃きにくいのではなく、道路や地面にくっつくから掃きにくいのであり、この点について特許文献１に言及がない。道路や地面にくっついた濡れ落ち葉は、道路や地面から剥がせれば掃きやすくなると考えられる。これから、特許文献１が開示する箒は、合成樹脂製の線条体である穂が略正三角形又は略正四角形の断面であり、更に多数の凹凸部を設けていることから、より濡れ落ち葉が履きやすくなると考えられる。
【０００７】
しかし、特許文献１が開示する箒は、穂の表面に設けた凹凸部がゴミと物理的に引っ掛かることで掃きやすくするのであり、ゴミが濡れ落ち葉の場合、穂が濡れ落ち葉の表面を滑って物理的に引っかからず、やはり濡れ落ち葉をうまく掃くことができない、と思われる。そこで、濡れ落ち葉をうまく掃くため、濡れ落ち葉の表面を滑りにくい穂を有する箒について、検討した。
【課題を解決するための手段】
【０００８】
検討の結果開発したものが、微小粉体が混入された樹脂コードを穂としたことを特徴とする箒である。穂は、樹脂コードに混入される微小粒子により、表面が微小な凹凸のある粗雑面となり、ゴミに対する引っかかり部分を増やす。微小粉体は、例えばJIS Z8801-1に規定される公称目開き355μm以下の篩を通過する平均粒子径が１μm〜350μmの粉体を指す。微小粉体の平均粒子径は、５μm〜250μm、更に10μm〜100μmの範囲が好ましい。
【０００９】
微小粉体は、平均粒子系が１μm〜350μmの範囲にあれば、有機粉体又は無機粉体を問わず利用できる。有機粉体は、微粉砕された木片や種子殼の粉体や、有機物を蒸し焼きにして製造される炭素粉体（炭や黒鉛）が例示される。また、無機粉体は、鉱物系粉体やセラミック系粉体、例えば窒化ホウ素粉体、炭化ホウ素粉体、窒化ケイ素粉体、炭化ケイ素粉体、アルミナ粉体等を挙げることができる。有機粉体及び無機粉体を混ぜて樹脂コードに混入させてもよい。微小粉体が１種類であれば、無機粉体を樹脂コードに混入する構成が好ましい
【００１０】
樹脂コードは、ナイロンコード、ポリエステルコード、ポリエチレンコード、ポリプロピレンコードを例示できる。樹脂コード中の樹脂に対する微小粉体の混入割合は、多いほど好ましいが、多すぎると紡糸できなくなるので、20vol％以下、好ましくは10vol％前後を目安にするとよい。樹脂コードは、断面円形又は楕円形が好ましいが、断面角形（断面三角形又は四角形等）も利用できる。樹脂コードは、外径（断面円形は直径、断面角形は縁部を結ぶ倣い円形の直径）が0.1mm〜3.0mmが好ましい。外径が0.1mm未満の樹脂コードは、弾力性が劣り、過剰に湾曲して掃きにくい。また、外径が3.0mmを超える樹脂コードは、可撓性が劣り、湾曲しづらくて掃きにくい。
【発明の効果】
【００１１】
本発明の箒は、微小粉体が混入された樹脂コードを穂が、濡れ落ち葉を掃くために十分な押圧力を発揮し、更に粗雑面とした表面に多数の引っかかり部分を作り、前記引っかかり部分を濡れ落ち葉に引っ掛けて押圧力を濡れ落ち葉に伝達し、濡れ落ち葉を掃くことができる。微小粉体を無機粉体とすれば、路面や地面に接触して微小粉体を削れることがなく、常に一定以上の引っかかり部分が作られるように、微小粉体が穂の表面に留まり、前述した濡れ落ち葉を掃く効果を持続させる。濡れ落ち葉を掃く効果は、その他のゴミにも発揮されることから、本発明の箒は、様々なゴミを容易に掃くことができる。
【図面の簡単な説明】
【００１２】
【図１】本発明を適用した箒の全体を表す斜視図である。
【図２】穂の部分を拡大した斜視図である。
【図３】図２中矢視部拡大図である。
【発明を実施するための形態】
【００１３】
以下、本発明を実施するための形態について図を参照しながら説明する。本発明は、図１に見られるように、従来同種の構成同様の箒１に適用される。本例の箒１は、多数の穂11を固定部12で束ね、固定部12から長尺の柄13を延ばした構造である。固定部12は、例えば樹脂板で構成される。柄13は、木製又は竹製の自然素材であったり、樹脂パイプであったりする。柄13の長さは自由であり、また伸縮自在な構成であってもよい。
【００１４】
本発明の箒１は、穂11に特徴を有する。穂11は、樹脂コードに平均粒子径が350μm以下の微小粉体111（図３参照）を混入しているため、全体として色がくすんで見える。本例の穂11は、φ0.7mmのナイロンコードに、平均粒子径61μm〜62μmの炭化ケイ素粉体を、８vol％（25wt％）の割合で混入した構成を想定している。炭化ケイ素粉体は、黒色又は深い緑色であるため、ナイロンコードに混入した場合、図２に見られるように、穂11全体は灰色に見える。
【００１５】
穂11それぞれは、図３に見られるように、混入した微小粉体111が表面に多数現れ、粗雑面を形成する。図３は、図示の便宜上、丸い微小粉体111が整然と並んで表面に現れているが、実際には不定形の微小粉体111が不規則に並んで表面に現れる。こうして、穂11の表面に形成される粗雑面により、多数の引っかかり部分が作られ、従来滑りやすくなっていた濡れ落ち葉に前記引っかかり部分が引っかかり、掃きやすくなる。
【符号の説明】
【００１６】
１  箒
11  穂
111  微小粉体
12  固定部
13  柄
【図１】
2020121007.tif 000003
【図２】
2020121007.tif 000004
【図３】
2020121007.tif 000005